(57)【要約】【課題】バイアス電圧を供給するための直流電源を必要としない静電型スピーカ用の駆動回路を提供する。【解決手段】駆動回路２０は、第１、第２駆動信号ラインＳＬ２１，ＳＬ２２、バイアス電圧供給ラインＳＬ２０、昇圧整流回路ＲＣｐ１、および、バイアス用コンデンサ６０を備える。第１、第２駆動信号ラインＳＬ２１，ＳＬ２２には、音声再生用の単相の駆動信号が供給される。バイアス電圧供給ラインＳＬ２０は、第１駆動信号ラインＳＬ２１および第２駆動信号ラインＳＬ２２に対して電位差をもって配置されている。昇圧整流回路ＲＣｐ１は、第１駆動信号ラインＳＬ２１および第２駆動信号ラインＳＬ２２に接続され、駆動信号を整流および昇圧する。バイアス用コンデンサ６０は、バイアス電圧供給ラインＳＬ２０に接続され、昇圧整流回路ＲＣｐ１の出力端に接続されている。【選択図】  図１
2017028556.tif 000002
【特許請求の範囲】
【請求項１】
音声再生用の単相の駆動信号が供給される第１駆動信号ラインおよび第２駆動信号ラインと、
前記第１駆動信号ラインおよび前記第２駆動信号ラインに対して電位差をもって配置されたバイアス電圧供給ラインと、
前記第１駆動信号ラインおよび前記第２駆動信号ラインに接続され、前記駆動信号を整流および昇圧する昇圧整流回路と、
前記バイアス電圧供給ラインに接続され、前記昇圧整流回路の出力端に接続されているバイアス用コンデンサと、
を備えた、駆動回路。
【請求項２】
前記昇圧整流回路は、
第１コンデンサと、該第１コンデンサにカソードが接続された第１ダイオードとを備える第１直列回路と、
第２コンデンサと、該第２コンデンサにカソードが接続された第２ダイオードを備える第２直列回路と、を備え、
前記第１直列回路は、前記第１駆動信号ラインと前記第２駆動信号ラインとの間に接続されており、
前記第２直列回路は、前記第１ダイオードのアノードに前記第２コンデンサが接続する態様で、前記第１ダイオードに並列接続されており、
前記第２コンデンサと前記第２ダイオードの接続点が前記バイアス用コンデンサに接続されている、
請求項１に記載の駆動回路。
【請求項３】
前記バイアス用コンデンサは、直列接続された第１バイアス用コンデンサと第２バイアス用コンデンサとを備え、
前記昇圧整流回路は、直列接続された第１昇圧整流回路と第２昇圧整流回路とを備え、
前記第１バイアス用コンデンサと前記第２バイアス用コンデンサとの接続点は、前記第１昇圧整流回路と前記第２昇圧整流回路との接続点に接続され、
前記第２バイアス用コンデンサにおける前記第１バイアス用コンデンサとの接続点と反対側の端部は、前記第２昇圧整流回路における前記第１昇圧整流回路との接続点と反対側の端部に接続されている、
請求項２に記載の駆動回路。
【請求項４】
前記第１駆動信号ラインと前記第２駆動信号ラインとに前記単相の駆動信号を供給する音声信号再生部を備え、
前記音声信号再生部は、
可聴域よりも高い周波数のチャージ用信号を前記第１駆動信号ラインおよび前記第２駆動信号ラインに供給する、
請求項１乃至請求項３のいずれかに記載の駆動回路。
【請求項５】
請求項１乃至請求項４のいずれかに記載の駆動回路と、
前記第１駆動信号ラインに接続された第１固定電極、前記第２駆動信号ラインに接続された第２固定電極、および、前記第１固定電極膜と前記第２固定電極膜との間に配置され、前記バイアス電圧供給ラインに接続された可動電極を備えた静電型スピーカと、
を備えた、
スピーカ装置。
【発明の詳細な説明】
【技術分野】
【０００１】
本発明は、静電型スピーカに駆動信号およびバイアス電圧を供給する駆動回路に関する。
【背景技術】
【０００２】
特許文献１には、固定極と可動極を備える静電型スピーカと、その駆動回路が開示されている。特許文献１に記載の駆動回路は、可動極に駆動信号を供給する信号ラインに、直流の高電圧電源（バイアス電源）が直列に接続されている。これにより、特許文献１に記載の駆動回路は、可動極と固定極との間に所定のバイアス電圧を供給する。
【０００３】
特許文献２には、コンデンサヘッドホンと、その駆動回路が開示されている。特許文献２に記載の駆動回路は、コンデンサヘッドホンに供給するバイアス電圧を発生する昇圧回路を備える。昇圧回路は、直流電源に接続されている。昇圧回路は、直流電源からの直流電圧を昇圧してバイアス電圧を生成し、コンデンサヘッドホンに供給している。
【先行技術文献】
【特許文献】
【０００４】
【特許文献１】特開２００１−１９７５９６号公報
【特許文献２】特開２００６−０４１５６９号公報
【発明の概要】
【発明が解決しようとする課題】
【０００５】
しかしながら、特許文献１，２に記載の駆動回路は、駆動信号の供給経路とは別に、バイアス電圧を供給するための直流電源を備えなければならない。
【０００６】
したがって、本発明の目的は、バイアス電圧を供給するための直流電源を必要としない静電型スピーカ用の駆動回路およびスピーカ装置を提供することにある。
【課題を解決するための手段】
【０００７】
この発明の駆動回路は、第１、第２駆動信号ライン、バイアス電圧供給ライン、昇圧整流回路、および、バイアス用コンデンサを備える。第１、第２駆動信号ラインには、音声再生用の単相の駆動信号が供給される。バイアス電圧供給ラインは、第１駆動信号ラインおよび第２駆動信号ラインに対して電位差をもって配置されている。昇圧整流回路は、第１駆動信号ラインおよび第２駆動信号ラインに接続され、駆動信号を整流および昇圧する。バイアス用コンデンサは、バイアス電圧供給ラインに接続され、昇圧整流回路の出力端に接続されている。
【０００８】
この構成では、音声再生用の駆動信号は、第１、第２駆動信号ラインに供給される。また、音声再生用の駆動信号は、昇圧整流回路にも供給される。昇圧整流回路によって駆動信号を整流、昇圧してなる直流電圧は、バイアス電圧供給ラインに供給される。
【発明の効果】
【０００９】
この発明によれば、直流電源を備えることなく、バイアス電圧を静電型スピーカに供給することができる。
【図面の簡単な説明】
【００１０】
【図１】本発明の第１の実施形態に係る静電型のスピーカ装置の回路図
【図２】本発明の第２の実施形態に係る静電型のスピーカ装置の回路図
【図３】本発明の第３の実施形態に係る静電型のスピーカ装置の回路図
【図４】本発明の第４の実施形態に係る静電型のスピーカ装置の回路図
【図５】本発明の第５の実施形態に係る静電型のスピーカ装置の回路図
【発明を実施するための形態】
【００１１】
本発明の第１の実施形態に係る駆動回路およびスピーカ装置について、図を参照して説明する。図１は、本発明の第１の実施形態に係る静電型のスピーカ装置の回路図である。
【００１２】
スピーカ装置１０は、駆動回路２０と静電型スピーカ１００を備える。静電型スピーカ１００の具体的な構造の図示は省略する。
【００１３】
静電型スピーカ１００は、可動電極１１０、第１固定電極１２１、および、第２固定電極１２２を備える。可動電極１１０、第１固定電極１２１、および第２固定電極１２２は、平膜である。可動電極１１０、第１固定電極１２１、および第２固定電極１２２は、駆動信号が供給されていない状態において、それぞれの平膜面が平行になるように配置されている。可動電極１１０は、第１固定電極１２１と第２固定電極１２２との間に配置されている。
【００１４】
駆動回路２０は、昇圧整流回路ＲＣｐ１、バイアス用コンデンサ６０、抵抗器５０，７１，７２，８０，９０，９１，９２、第１入力端子Ｎ１、第２入力端子Ｎ２、バイアス電圧供給ラインＳＬ２０、第１駆動信号ラインＳＬ２１、および、第２駆動信号ラインＳＬ２２を備える。
【００１５】
第１入力端子Ｎ１、第２入力端子Ｎ２は、端子対を構成している。音声再生用の単相の駆動信号は、この端子対に供給される。
【００１６】
第１駆動信号ラインＳＬ２１は、抵抗器８０を介して第１入力端子Ｎ１に接続されている。第１駆動信号ラインＳＬ２１は、抵抗器９１を介して、静電型スピーカ１００の第１固定電極１２１に接続されている。
【００１７】
第２駆動信号ラインＳＬ２２は、第２入力端子Ｎ２に接続されている。第２駆動信号ラインＳＬ２２は、抵抗器９２を介して、静電型スピーカ１００の第２固定電極１２２に接続されている。
【００１８】
抵抗器７１と抵抗器７２とは、直列接続されている。この直列回路は、第１駆動信号ラインＳＬ２１と第２駆動信号ラインＳＬ２１との間に接続されている。抵抗器７１と抵抗器７２は、同じ抵抗値からなる。
【００１９】
バイアス電圧供給ラインＳＬ２０は、抵抗器７１と抵抗器７２との接続点に接続されている。この構成により、バイアス電圧供給ラインＳＬ２０は、第１駆動信号ラインＳＬ２１と第２駆動信号ラインＳＬ２２との中点電位に接続されている。
【００２０】
バイアス電圧供給ラインＳＬ２０は、抵抗器９０を介して、静電型スピーカ１００の可動電極１１０に接続されている。
【００２１】
バイアス用コンデンサ６０は、バイアス電圧供給ラインＳＬ２０における抵抗器７１，７２の接続点と抵抗器９０との間に接続されている。
【００２２】
昇圧整流回路ＲＣｐ１は、第１駆動信号ラインＳＬ２１と第２駆動信号ラインＳＬ２２に接続されている。昇圧整流回路ＲＣｐ１は、第１駆動信号ラインＳＬ２１における抵抗器７１との接続点と抵抗器８０との間に接続されている。昇圧整流回路ＲＣｐ１は、第２駆動信号ラインＳＬ２２における抵抗器７２との接続点よりも第２入力端子Ｎ２側に接続されている。
【００２３】
昇圧整流回路ＲＣｐ１は、抵抗器５０を介して、バイアス電圧供給ラインＳＬ２０に接続されている。昇圧整流回路ＲＣｐ１は、バイアス電圧供給ラインＳＬ２０におけるバイアス用コンデンサ６０と抵抗器９０との間に接続されている。
【００２４】
昇圧整流回路ＲＣｐ１は、コンデンサ３１，３２、ダイオード４１，４２を備える。コンデンサ３１は、本発明の「第１コンデンサ」に相当し、コンデンサ３２は、本発明の「第２コンデンサ」に相当する。ダイオード４１は、本発明の「第１ダイオード」に相当し、ダイオード４２は、本発明の「第２ダイオード」に相当する。コンデンサ３１，３２は同じ電気特性を有することが好ましい。ダイオード４１，４２は同じ電気特性を有することが好ましい。なお、コンデンサ３１，３２は同じ電気特性でなくてもよく、ともに必要な耐圧を有すればよい。同様に、ダイオード４１，４２は同じ電気特性でなくてもよく、ともに必要な耐圧を有すればよい。
【００２５】
コンデンサ３１とダイオード４１の直列回路は、第１駆動信号ラインＳＬ２１と第２駆動信号ラインＳＬ２２との間に接続されている。より具体的には、コンデンサ３１の第１端子は、第１駆動信号ラインＳＬ２１に接続されている。コンデンサ３１の第２端子は、ダイオード４１のカソードに接続されている。ダイオード４１のアノードは、第２駆動信号ラインＳＬ２２に接続されている。コンデンサ３１とダイオード４１の直列回路は、本発明の「第１直列回路」に相当する。
【００２６】
コンデンサ３２とダイオード４２の直列回路は、ダイオード４１に並列接続されている。より具体的には、コンデンサ３２の第１端子は、ダイオード４１のアノードに接続されている。コンデンサ３２の第２端子は、ダイオード４２のカソードに接続されている。ダイオード４２のアノードは、ダイオード４１のカソードに接続されている。コンデンサ３２とダイオード４２の直列回路は、本発明の「第２直列回路」に相当する。
【００２７】
コンデンサ３２とダイオード４２との接続点は、昇圧整流回路ＲＣｐ１の出力点である。昇圧整流回路ＲＣｐ１の出力点は、抵抗器５０を介して、バイアス電圧供給ラインＳＬ２０に接続されている。
【００２８】
このように、昇圧整流回路ＲＣｐ１は、コンデンサとダイオードの直列回路が二段に接続された構成からなる。
【００２９】
静電型スピーカ１００を駆動する場合、第１入力端子Ｎ１および第２入力端子Ｎ２に音声再生用の単相の駆動信号が供給される。第１入力端子Ｎ１に供給された駆動信号は、第１駆動信号ラインＳＬ２１を介して第１固定電極１２１に供給される。第２入力端子Ｎ２に供給された駆動信号は、第２駆動信号ラインＳＬ２２を介して第２固定電極１２２に供給される。
【００３０】
また、駆動信号は、昇圧整流回路ＲＣｐ１に供給される。昇圧整流回路ＲＣｐ１に供給された駆動信号は、整流すなわち平滑化され、昇圧される。具体的には、第２駆動信号ラインＳＬ２２の駆動信号が第１駆動信号ラインＳＬ２１の駆動信号よりも高電位の時、ダイオード４１は導通となり、コンデンサ３１が充電される。このコンデンサ３１に充電される電圧は、駆動信号の尖頭値の電圧に相当する。次に、第１駆動信号ラインＳＬ２１の駆動信号が第２駆動信号ラインＳＬ２２の駆動信号よりも高電位の時、ダイオード４１は開放となり、ダイオード４２が導通となり、コンデンサ３２が充電される。このコンデンサ３２に充電される電圧は、コンデンサ３１に充電された電圧と、駆動信号の尖頭値の電圧とを加算したものとなる。したがって、駆動信号の尖頭値の２倍の電圧となる。これにより、昇圧整流回路ＲＣｐ１は、駆動信号の尖頭値の２倍の直流電圧を出力することができる。
【００３１】
昇圧整流回路ＲＣｐ１の出力電圧によって抵抗器５０に流れる電流は、バイアス用コンデンサ６０を充電する。これにより、バイアス用コンデンサ６０の両端には、駆動信号の尖頭値の２倍の電位差が発生する。
【００３２】
したがって、可動電極１１０には、バイアス電圧供給ラインＳＬ２０を介して、駆動信号の尖頭値の略２倍の直流電圧を供給できる。これにより、可動電極１１０と第１，第２固定電極１２１，１２２間に、駆動信号の尖頭値の略２倍の電圧値からなるバイアス電圧を供給できる。
【００３３】
このような構成とすることによって、駆動信号からバイアス電圧を生成し、静電型スピーカ１００をプッシュプル駆動させることができるので、直流電源を別途設けることなく、大きな音量で放音可能なスピーカ装置１０を実現することができる。また、直流電源を設けないことによって、小型のスピーカ装置１０を実現することができる。
【００３４】
また、上述の昇圧整流回路ＲＣｐ１の構成では、ダイオードのオン抵抗が低いことにより、充電時定数は小さくなる。したがって、バイアス電圧を急速に得ることができる。一方、ダイオードのオフ抵抗が高いことにより、放電時定数は大きくなる。したがって、バイアス電圧を長く保つことができる。
【００３５】
なお、これらの充電時定数および放電時定数は、コンデンサのキャパシタンスにも影響されるが、コンデンサのキャパシタンスを適宜設定することによって、実用上十分な程度に、充電時定数を小さくし、且つ放電時定数を大きくすることができる。ここで、実用上十分な程度とは、静電型スピーカ１００から継続的に放音を行う場合に、音量を一定に保つことができる程度を意味する。特に、デジタルサイネージとして静電型スピーカ１００を用いる場合、或程度の音量で放音が継続することがあるが、この放音のための駆動信号によって継続的にコンデンサを略充電状態に維持できる程度を意味する。例えば、コンデンサのキャパシタンスは、約１００［ｎＦ］から約１［μＦ］の間程度としておくとよい。
【００３６】
これにより、駆動回路２０は、バイアス電圧を静電型スピーカ１００に安定して供給することができる。したがって、出力が安定したスピーカ装置１０を実現することができる。
【００３７】
なお、抵抗器８０は、省略することも可能であるが、抵抗器８０を備えることによって、次に示す作用効果が得られる。抵抗器８０を備えることによって、第１、第２入力端子Ｎ１，Ｎ２から静電型スピーカ１００側を視て抵抗性にすることができる。これにより、静電型スピーカ１００専用のアンプを用いなくてもよく、通常のダイナミックスピーカを駆動するアンプを用いることが可能である。また、第１、第２入力端子Ｎ１，Ｎ２に接続されるアンプから静電型スピーカ１００に供給される電力を制限でき、アンプの保護も可能である。
【００３８】
また、抵抗器９１，９２は、省略することができる。
【００３９】
次に、第２の実施形態に係る駆動回路およびスピーカ装置について、図を参照して説明する。図２は、本発明の第２の実施形態に係る静電型のスピーカ装置の回路図である。
【００４０】
第２の実施形態に係るスピーカ装置１０Ａは、第１の実施形態に係るスピーカ装置１０に対して、駆動回路２０Ａの昇圧整流回路ＲＣｐ２の構成が異なる。スピーカ装置１０Ａにおける他の構成は、第１の実施形態に係るスピーカ装置１０と同じである。
【００４１】
昇圧整流回路ＲＣｐ２は、第１の実施形態に係る昇圧整流回路ＲＣｐ１に対して、コンデンサ３３，３４、ダイオード４３，４４を追加したものである。コンデンサ３３，３４は、コンデンサ３１，３２と同じ電気特性を有する。ダイオード４３，４４は、ダイオード４１，４２と同じ電気特性を有する。
【００４２】
コンデンサ３３とダイオード４３は、直列接続されている。コンデンサ３３は、ダイオード４３のカソードに接続されている。コンデンサ３３とダイオード４３の直列回路は、ダイオード４２に並列接続されている。この際、ダイオード４３のアノードは、ダイオード４２のカソードに接続されており、コンデンサ３３は、ダイオード４２のアノードに接続されている。
【００４３】
コンデンサ３４とダイオード４４は、直列接続されている。コンデンサ３４は、ダイオード４４のカソードに接続されている。コンデンサ３４とダイオード４４の直列回路は、ダイオード４３に並列接続されている。この際、ダイオード４４のアノードは、ダイオード４３のカソードに接続されており、コンデンサ３４は、ダイオード４３のアノードに接続されている。
【００４４】
コンデンサ３４とダイオード４４との接続点は、昇圧整流回路ＲＣｐ２の出力点である。昇圧整流回路ＲＣｐ２の出力点は、抵抗器５０を介して、バイアス電圧供給ラインＳＬ２０に接続されている。
【００４５】
このように、昇圧整流回路ＲＣｐ２は、コンデンサとダイオードの直列回路が四段に接続された構成からなる。したがって、昇圧整流回路ＲＣｐ２は、駆動信号の尖頭値の４倍の電圧値からなるバイアス電圧をバイアス用コンデンサ６０に充電することができる。
【００４６】
以上のように、本実施形態の構成を用いても、第１の実施形態と同様に、直流電源を別途設けることなく、大きな音量で放音可能なスピーカ装置１０Ａを実現することができる。さらに、本実施形態の駆動回路２０Ａを用いることによって、第１の実施形態に係る駆動回路２０よりも高いバイアス電圧を、静電型スピーカ１００に供給することができる。
【００４７】
次に、第３の実施形態に係るスピーカ装置について、図を参照して説明する。図３は、本発明の第３の実施形態に係る静電型のスピーカ装置の回路図である。
【００４８】
本実施形態に係るスピーカ装置１０Ｂは、第２の実施形態に係るスピーカ装置１０Ａの駆動回路２０Ａのバイアス用コンデンサ６０に替えて、駆動回路２０Ｂにバイアス用コンデンサ６１，６２を備えている。また、スピーカ装置１０Ｂは、スピーカ装置１０Ａの駆動回路２０Ａの抵抗器５０に替えて、駆動回路２０Ｂに抵抗器５１を備えている。また、スピーカ装置１０Ｂは、スピーカ装置１０Ａの駆動回路２０Ａの昇圧整流回路ＲＣｐ２に替えて、駆動回路２０Ｂに昇圧整流回路ＲＣｐ３１を備えている。また、スピーカ装置１０Ｂは、スピーカ装置１０Ａに対して昇圧整流回路ＲＣｐ３２および抵抗器５２を追加したものである。スピーカ装置１０Ｂにおける他の構成は、スピーカ装置１０Ａと同じである。
【００４９】
バイアス用コンデンサ６１，６２は、バイアス電圧供給ラインＳＬ２０に対して、直列接続されている。バイアス用コンデンサ６１は、抵抗器７１，７２による中点電位に接続されており、バイアス用コンデンサ６２は、抵抗器９０に接続されている。
【００５０】
昇圧整流回路ＲＣｐ３１は、第２の実施形態に係る昇圧整流回路ＲＣｐ２と同じである。昇圧整流回路ＲＣｐ３１の出力点は、抵抗器５１を介して、バイアス電圧供給ラインＳＬ２０におけるバイアス用コンデンサ６１，６２の間の点に接続されている。
【００５１】
昇圧整流回路ＲＣｐ３２は、回路ブロックとしては、昇圧整流回路ＲＣｐ３１の後段に接続されている。すなわち、駆動回路２０Ｂでは、昇圧整流回路ＲＣｐ３１，ＲＣｐ３２が二段に接続されている。
【００５２】
昇圧整流回路ＲＣｐ３２は、コンデンサ３５，３６、および、ダイオード４５，４６を備える。コンデンサ３５，３６は、コンデンサ３１，３２，３３，３４と同じ電気特性を有する。ダイオード４５，４６は、ダイオード４１，４２，４３，４４と同じ電気特性を有する。
【００５３】
コンデンサ３５とダイオード４５は、直列接続されている。コンデンサ３５は、ダイオード４５のカソードに接続されている。コンデンサ３５とダイオード４５の直列回路は、ダイオード４４に並列接続されている。この際、ダイオード４５のアノードは、ダイオード４４のカソードに接続されており、コンデンサ３５は、ダイオード４４のアノードに接続されている。
【００５４】
コンデンサ３６とダイオード４６は、直列接続されている。コンデンサ３６は、ダイオード４６のカソードに接続されている。コンデンサ３６とダイオード４６の直列回路は、ダイオード４５に並列接続されている。この際、ダイオード４６のアノードは、ダイオード４５のカソードに接続されており、コンデンサ３６は、ダイオード４６のアノードに接続されている。
【００５５】
コンデンサ３６とダイオード４６との接続点は、昇圧整流回路ＲＣｐ３２の出力点である。昇圧整流回路ＲＣｐ３２の出力点は、抵抗器５２を介して、バイアス電圧供給ラインＳＬ２０におけるバイアス用コンデンサ６２と抵抗器９０との間の点に接続されている。
【００５６】
このような構成によって、昇圧整流回路ＲＣｐ３１は、コンデンサとダイオードの直列回路が四段に接続された構成からなる。したがって、昇圧整流回路ＲＣｐ３１は、駆動信号の尖頭値の４倍の電圧値からなるバイアス電圧をバイアス用コンデンサ６１に充電することができる。
【００５７】
また、昇圧整流回路ＲＣｐ３２は、コンデンサとダイオードの直列回路が二段に接続された構成からなる。したがって、昇圧整流回路ＲＣｐ３２は、駆動信号の尖頭値の２倍の電圧値からなるバイアス電圧をバイアス用コンデンサ６２に充電することができる。
【００５８】
これにより、バイアス電圧供給ラインＳＬ２０には、駆動信号の尖頭値の６倍の電圧値からなるバイアス電圧が供給される。
【００５９】
以上のように、本実施形態の構成を用いても、第１、第２の実施形態と同様に、直流電源を別途設けることなく、大きな音量で放音可能なスピーカ装置１０Ｂを実現することができる。さらに、本実施形態の駆動回路２０Ｂを用いることによって、第１、第２の実施形態に係る駆動回路２０，２０Ａよりも高いバイアス電圧を、静電型スピーカ１００に供給することができる。さらに、本実施形態の構成では、バイアス電圧を充電するバイアス用コンデンサと昇圧整流回路をそれぞれ二段にしているので、それぞれのコンデンサの耐圧を低く抑えながら、高いバイアス電圧を供給することができる。
【００６０】
次に、第４の実施形態に係るスピーカ装置について、図を参照して説明する。図４は、本発明の第４の実施形態に係る静電型のスピーカ装置の回路図である。
【００６１】
本実施形態に係るスピーカ装置１０Ｃは、第３の実施形態に係るスピーカ装置１０Ｂの駆動回路２０Ｂの昇圧整流回路ＲＣｐ３２に替えて、駆動回路２０Ｃに昇圧整流回路ＲＣｐ４２を備えている。スピーカ装置１０Ｃにおける他の構成は、スピーカ装置１０Ｂと同じである。また、スピーカ装置１０Ｃの昇圧整流回路ＲＣｐ４１は、スピーカ装置１０Ｂの昇圧整流回路ＲＣｐ３１と同じである。
【００６２】
昇圧整流回路ＲＣｐ４２は、回路ブロックとしては、昇圧整流回路ＲＣｐ４１の後段に接続されている。すなわち、駆動回路２０Ｃでは、昇圧整流回路ＲＣｐ４１，ＲＣｐ４２が二段に接続されている。昇圧整流回路ＲＣｐ４２は、第３の実施形態に係る駆動回路２０Ｂの昇圧整流回路ＲＣｐ３２に対して、コンデンサ３７，３８、および、ダイオード４７，４８を追加したものである。コンデンサ３７，３８は、コンデンサ３１，３２，３３，３４，３５，３６と同じ電気特性を有する。ダイオード４７，４８は、ダイオード４１，４２，４３，４４，４５，４６と同じ電気特性を有する。
【００６３】
コンデンサ３７とダイオード４７は、直列接続されている。コンデンサ３７は、ダイオード４７のカソードに接続されている。コンデンサ３７とダイオード４７の直列回路は、ダイオード４６に並列接続されている。この際、ダイオード４７のアノードは、ダイオード４６のカソードに接続されており、コンデンサ３７は、ダイオード４６のアノードに接続されている。
【００６４】
コンデンサ３８とダイオード４８は、直列接続されている。コンデンサ３８は、ダイオード４８のカソードに接続されている。コンデンサ３８とダイオード４８の直列回路は、ダイオード４７に並列接続されている。この際、ダイオード４８のアノードは、ダイオード４７のカソードに接続されており、コンデンサ３８は、ダイオード４７のアノードに接続されている。
【００６５】
コンデンサ３８とダイオード４８との接続点は、昇圧整流回路ＲＣｐ４２の出力点である。昇圧整流回路ＲＣｐ４２の出力点は、抵抗器５２を介して、バイアス電圧供給ラインＳＬ２０におけるバイアス用コンデンサ６２と抵抗器９０との間の点に接続されている。
【００６６】
このような構成によって、昇圧整流回路ＲＣｐ４１，４２は、それぞれにコンデンサとダイオードの直列回路が四段に接続された構成からなる。したがって、昇圧整流回路ＲＣｐ４１，ＲＣｐ４２は、それぞれに駆動信号の尖頭値の４倍の電圧値からなるバイアス電圧をバイアス用コンデンサ６１，６２に充電することができる。これにより、バイアス電圧供給ラインＳＬ２０には、駆動信号の尖頭値の８倍の電圧値からなるバイアス電圧が供給される。
【００６７】
以上のように、本実施形態の構成を用いても、第１、第２、第３の実施形態と同様に、直流電源を別途設けることなく、大きな音量で放音可能なスピーカ装置１０Ｃを実現することができる。さらに、本実施形態の駆動回路２０Ｃを用いることによって、第１、第２の実施形態に係る駆動回路２０，２０Ａ，２０Ｂよりも高いバイアス電圧を、静電型スピーカ１００に供給することができる。
【００６８】
さらに、本実施形態の構成では、第３の実施形態と同様に、バイアス電圧を充電するバイアス用コンデンサと昇圧整流回路をそれぞれ二段にしているので、それぞれのコンデンサの耐圧を低く抑えながら、高いバイアス電圧を供給することができる。
【００６９】
次に、本発明の第５の実施形態に係るスピーカ装置１０Ｄについて、図を参照して説明する。図５は、本発明の第５の実施形態に係る静電型のスピーカ装置の回路図である。
【００７０】
本実施形態に係るスピーカ装置１０Ｄは、第１の実施形態に係るスピーカ装置１０に対して、音声信号再生部２０１、およびパワーアンプ２０２を追加したものである。スピーカ装置１０Ｄの他の構成は、第１の実施形態に係るスピーカ装置１０と同じである。
【００７１】
スピーカ装置１０Ｄは、駆動回路２０、静電型スピーカ１００、音声信号再生部２０１、およびパワーアンプ２０２を備える。
【００７２】
音声信号再生部２０１の出力端は、パワーアンプ２０２の入力端に接続されている。パワーアンプ２０２の出力端は、第１入力端子Ｎ１および第２入力端子Ｎ２に接続されている。音声信号再生部２０１は、指定されたソースから音声信号を再生し、単相の駆動信号を出力する。パワーアンプ２０２は、単相の駆動信号を増幅して、第１入力端子Ｎ１および第２入力端子Ｎ２に出力する。
【００７３】
音声信号再生部２０１は、音声信号とは別に充電用信号を生成する。充電用信号は、可聴周波数域よりも高周波数の信号である。例えば、充電用信号の周波数は、２０［ｋＨｚ］を超えている。音声信号再生部２０１は、充電用信号を、音声信号に基づく駆動信号に先立って出力する。充電用信号は、パワーアンプ２０２を介して、駆動回路２０に供給される。駆動回路２０は、第１の実施形態に示した駆動信号と同様に、充電用信号によってバイアス電圧を生成し、バイアス電圧をバイアス電圧供給ラインＳＬ２０に供給する。
【００７４】
これにより、例えば、音声信号の振幅が小さい、音声信号の周波数がコンデンサおよびダイオードによる放電時定数に基づく周波数よりも低い場合が連続しても、所望とするバイアス電圧をバイアス電圧供給ラインＳＬ２０に供給し続けることができる。
【００７５】
この際、充電用信号は可聴周波数域よりも高周波数であるので、静電型スピーカ１００に充電用信号が供給されても、充電用信号による音は人に聞こえない。これにより、聴者に不快感を与えることを防止できる。
【００７６】
なお、駆動回路２０は、コンデンサおよびダイオードによる充電時定数が小さいので、充電用信号は、連続的に供給する必要はない。例えば、音声信号による駆動信号の供給の前に、１秒程度供給すればよい。また、音声信号による駆動信号の供給中に、１秒未満の長さで、所定の間隔をおいて、充電用信号を駆動信号に重畳させればよい。
【００７７】
このように、本実施形態の構成を用いることによって、周波数が低い状態が続く、振幅が小さい状態が続く等の音声信号の特性によるバイアス電圧の供給が不十分となってしまう状態を、より確実に防止することができる。
【００７８】
なお、本実施形態の構成では、充電用信号を可聴周波数よりも高周波数にする態様を示したが、スピーカ装置１０Ｄで再生可能な周波数よりも低周波数の充電用信号を用いてもよい。このような低周波数の充電用信号を用いる場合、高周波数の充電用信号を用いる場合よりも、消費電力を軽減することができる。
【００７９】
上述の各実施形態では、昇圧整流回路を構成するコンデンサとダイオードの直列回路の段数を、二段または四段とする態様を示した。しかしながら、この段数を、六段以上の偶数段とすることも可能である。
【００８０】
また、上述の各実施形態では、第１入力端子Ｎ１側に抵抗器８０を接続する態様を示したが、第２入力端子Ｎ２側に抵抗器８０を接続してもよい。さらには、抵抗器８０とは別の抵抗器によって第１入力端子Ｎ１とコンデンサ３１とを接続してもよい。
【符号の説明】
【００８１】
１０，１０Ａ，１０Ｂ，１０Ｃ，１０Ｄ：スピーカ装置
２０，２０Ａ，２０Ｂ，２０Ｃ：駆動回路
３１，３２，３３，３４，３５，３６，３７，３８：コンデンサ
４１，４２，４３，４４，４５，４６，４７，４８：ダイオード
５０，５１，５２，７１，７２，８０，９０，９１，９２：抵抗器
６０，６１，６２：バイアス用コンデンサ
１００：静電型スピーカ
１１０：可動電極
１２１：第１固定電極
１２２：第２固定電極
２０１：音声信号再生部
２０２：パワーアンプ
Ｎ１：第１入力端子
Ｎ２：第２入力端子
ＲＣｐ１，ＲＣｐ２，ＲＣｐ３１，ＲＣｐ３２，ＲＣｐ４１，ＲＣｐ４２：昇圧整流回路
ＳＬ２０：バイアス電圧供給ライン
ＳＬ２１：第１駆動信号ライン
ＳＬ２１：第２駆動信号ライン
【図１】
2017028556.tif 000003
【図２】
2017028556.tif 000004
【図３】
2017028556.tif 000005
【図４】
2017028556.tif 000006
【図５】
2017028556.tif 000007